(57)【特許請求の範囲】
【請求項１】
複数のチャンネルによって伝送される伝送データからプログラムを選局するプログラムの選局方法であって、
受信した伝送データから前記プログラムに関する情報を示す番組情報と、該番組情報に対応するプログラムが伝送される前記チャンネルに関する情報を示す選局情報とが結合されたデータベースが、前記伝送データの送信側において作成されて、該データベース用のチャンネルにより受信側に伝送され、
前記プログラムを指定し、
前記送信側において作成されたデータベースを用いて、前記指定されたプログラムに対応する前記チャンネルに関する情報を取得し、
前記取得したチャンネルに関する情報に基づいて、前記指定されたプログラムに対応する伝送データを受信することを特徴とするプログラムの選局方法。
【請求項２】
前記データベースに該当するプログラムが存在しない場合、または前記データベースを用いた選局に失敗した場合には、受信した伝送データから前記選局情報を取得し、該取得した選局情報を用いて前記プログラムの選局を行うことを特徴とする請求項１記載のプログラムの選局方法。
【請求項３】
前記伝送データはデジタル放送波によって伝送され、
前記チャンネルに関する情報は、該チャンネルの伝送周波数を示す情報を含むことを特徴とする請求項１記載のプログラムの選局方法。
【請求項４】
前記伝送データはデジタル放送波によって伝送され、
前記選局情報は、ＮＩＴ（Ｎｅｔｗｏｒｋ  Ｉｎｆｏｒｍａｔｉｏｎ  Ｔａｂｌｅ）、ＰＡＴ（Ｐｒｏｇｒａｍ  Ａｓｓｏｃｉａｔｉｏｎ  Ｔａｂｌｅ）、又はＰＭＴ（Ｐｒｏｇｒａｍ  Ｍａｐ  Ｔａｂｌｅ）に含まれて伝送される情報を含むことを特徴とする請求項１記載のプログラムの選局方法。
【請求項５】
前記伝送データはデジタル放送波によって伝送され、
前記番組情報は、ＥＩＴ（Ｅｖｅｎｔ  Ｉｎｆｏｒｍａｔｉｏｎ  Ｔａｂｌｅ）又はＳＤＴ（Ｓｅｒｖｉｃｅ  Ｄｅｓｃｒｉｐｔｉｏｎ  Ｔａｂｌｅ）に含まれて伝送される情報を含むことを特徴とする請求項１記載のプログラムの選局方法。
【請求項６】
複数のチャンネルによってプログラムが伝送される伝送データを受信する受信装置であって、
前記伝送データの送信側で作成される、前記プログラムに関する情報を示す番組情報と、該番組情報に対応するプログラムが伝送される前記チャンネルに関する情報を示す選局情報とが結合されたデータベースを含んだ伝送データから少なくとも前記プログラムと該データベースとを取得する取得手段と、
前記取得手段により取得したプログラムを処理する処理手段と、
前記データベースを保持する保持手段と、
前記保持手段により保持されたデータベースに基づいて、指定されたプログラムに対応する前記チャンネルに関する情報を取得し、該取得したチャンネルに関する情報に基づいて、該指定されたプログラムに対応する伝送データを受信するように前記取得手段および処理手段の制御を行う制御手段とを有し、
前記伝送データの送信側で作成される前記データベースは、該データベース用のチャンネルにより伝送されることを特徴とする受信装置。
【請求項７】
前記制御手段は、選局を行う際に前記データベースに該当するプログラムが存在しない場合、または前記データベースを用いた選局に失敗した場合には、受信した伝送データから前記選局情報を取得し、該取得した選局情報を用いて前記プログラムの選局を行うことを特徴とする請求項６記載の受信装置。
【請求項８】
前記伝送データはデジタル放送波によって伝送され、
前記チャンネルに関する情報は、該チャンネルの伝送周波数を示す情報を含むことを特徴とする請求項６記載の受信装置。
【請求項９】
前記伝送データはデジタル放送波によって伝送され、
前記選局情報は、ＮＩＴ（Ｎｅｔｗｏｒｋ  Ｉｎｆｏｒｍａｔｉｏｎ  Ｔａｂｌｅ）、ＰＡＴ（Ｐｒｏｇｒａｍ  Ａｓｓｏｃｉａｔｉｏｎ  Ｔａｂｌｅ）、又はＰＭＴ（Ｐｒｏｇｒａｍ  Ｍａｐ  Ｔａｂｌｅ）に含まれて伝送される情報を含むことを特徴とする請求項６記載の受信装置。
【請求項１０】
前記伝送データはデジタル放送波によって伝送され、
前記番組情報は、ＥＩＴ（Ｅｖｅｎｔ  Ｉｎｆｏｒｍａｔｉｏｎ  Ｔａｂｌｅ）又はＳＤＴ（Ｓｅｒｖｉｃｅ  Ｄｅｓｃｒｉｐｔｉｏｎ  Ｔａｂｌｅ）に含まれて伝送される情報を含むことを特徴とする請求項６記載の受信装置。
【発明の詳細な説明】
【０００１】
【発明の属する技術分野】
本発明は、少なくともプログラムとそれに対応する選局情報とから構成されるビットストリームを放送するディジタル放送の選局方法およびディジタル放送受信装置に関する。
【０００２】
【従来の技術】
近年は、テレビジョン放送を従来のアナログ放送からディジタル放送に置き換えることが実用化されつつある。
【０００３】
ディジタル放送には、従来のアナログ放送にない特徴として、映像、音声、各種データ等の区別をなくすと共に柔軟な番組編成が可能であること、限られた伝送帯域で高品質かつ多数の番組放送が可能であること、優先度に応じた階層化サービスの提供が可能であること、放送方式そのもののバージョンアップが容易であること、高い双方向性を有すること、等がある。
【０００４】
このディジタル放送には、映像符号化方式として、いわゆるＭＰＥＧ(Moving Picture Image coding Experts Group）２の動画像圧縮符号化技術が採用され、多重化方式としてＭＰＥＧ２システムが採用されている。なお、ＭＰＥＧ２およびＭＰＥＧ２システムを採用したディジタル放送の規格については既に既知であるため、その詳細についての説明は省略する。
【０００５】
図７は従来の衛星ディジタル放送における物理チャンネルとプログラム等の構造を示す図である。この図において、伝送路Ｎは１つの衛星に対応する。そして、この伝送路Ｎ内に複数の物理チャンネルが設けられている。衛星ディジタル放送の場合には、１つの物理チャンネルＡ，Ｂ等は１つのトランスポンダに対応する。そして、各物理チャンネル内では同時に複数のプログラムが配信される。各プログラムには、映像、音声、および必要に応じてデータが含まれている。また、各物理チャンネルでは、伝送路Ｎで伝送されているプログラムを選択するための選局情報、およびそれらのプログラムの内容を表す番組情報が、プログラムに多重化され伝送されている。例えばＭＰＥＧ２システムをベースにした従来の衛星ディジタル放送においては、トランスポンダ毎に複数のプログラムが同時に配信されている。また、１つの衛星にはこのようなトランスポンダが複数搭載されている。
【０００６】
このように、ディジタル放送においては、その特徴の一つとして多数のプログラムを時分割多重化して放送するため、受信側ではそれらの多数のプログラムの中から所望のプログラムを選択（すなわち選局）する必要がある。そのために、従来のディジタル放送においては選局情報と番組情報を用いている。選局情報は主として受信装置のための情報であり、番組情報は視聴者のための情報である。
【０００７】
選局情報はＭＰＥＧ２システムに規定されているＰＳＩ（Program Specific Information：プログラム仕様情報）と呼ばれるテーブルに記述されている。すなわち、これらＰＳＩの中のＮＩＴ（Network Information Table ），ＰＡＴ（Program Association Table)，ＰＭＴ（Program Map Table)に選局情報が記述されている。これらの選局情報は階層構造を持ち、ＮＩＴは図７に示した伝送路Ｎの放送全体に関する選局情報として、物理チャンネルであるトランスポンダＡ，Ｂ等の周波数と各トランスポンダに属するプログラムのＩＤ、すなわちＳＩＤ（Service Identifier）等が記述される。また、ＰＡＴはトランスポンダ毎に定義され、そのトランスポンダの選局情報として、そのトランスポンダで現在放送されているＳＩＤとそのＳＩＤに関する選局情報であるＰＭＴのＰＩＤ(Packet Identifier) が記述される。ＰＭＴはＳＩＤ毎に定義され、そのＳＩＤの選局情報として、ＳＩＤに含まれているＥＳ(Elementary Stream) またはＰＳ(Private Section) についての情報が記述される。したがって、最終的には、ＰＭＴにより得られたＥＳあるいはＰＳのＰＩＤに基づいて、これらＥＳあるいはＰＳを分離し、処理装置へ割り当てることにより、選局が行われる。
【０００８】
また、番組情報としては、ＤＶＢ(Digital Video Broadcast) で規定されているＥＩＴ(Event Information Table) 、ＳＤＴ(Service Description Table) 等がある。ＥＩＴには、あるＳＩＤにおけるプログラムの今後の放送スケジュール、プログラムの詳細な内容等、プログラム単位の情報が記述される。ＳＤＴには、ＳＩＤ毎に、放送内容、ＥＩＴの記述範囲についての情報、そのＳＩＤのロゴイメージ等の情報が記述される。これらのテーブルに記述された情報を受信装置の画面に表示することにより、ＥＰＧ(Electronic Program Guide:電子番組ガイド）が実現される。視聴者がこのＥＰＧ画面上でプログラムに選択指令を与えると、後は受信装置が前述したＰＳＩを用いて自動的に選局を行う。
【０００９】
図８は前記ディジタル放送における従来の選局の動作のフローチャートを示す図である。
【００１０】
この図に示すように、まずステップＳ３１ではＳＩＤの決定が行われる。この処理は視聴者がＥＰＧ画面上で所望のプログラムの選局指令をリモートコマンダ等から入力するか、またはテレビ番組情報誌等を見て、所望のプログラムのＳＩＤをリモートコマンダ等から入力した際に実行される。
【００１１】
ステップＳ３２ではＮＩＴの取得が行われる。そして、次のステップＳ３３では、ステップＳ３２で取得したＮＩＴの中に、ステップＳ３１で決定したＳＩＤが存在するか否かの判定を行う。存在しないときにはステップＳ４０に進み、選局不可能として処理を終了する。一方、ステップＳ３３の判定において、ＳＩＤが存在すると判定したときには、そのＳＩＤが存在するトランスポンダを選択する。
【００１２】
そして、次のステップＳ３５でＰＡＴを取得した後は、ステップＳ３６にてＳＩＤが放送中であると判定したときには、ステップＳ３７以降の処理に進む。すなわち、ステップＳ３７ではＰＭＴを取得し、次のステップＳ３８では、取得したＰＭＴに記述されているＰＩＤを用いてＥＳまたはＰＳを分離し、処理装置へ割り当てる。これにより、ステップＳ３９にて、選局が完了する。ステップＳ３６にてＳＩＤが放送中でないと判定したときには、ステップＳ４０に進み、選局不可能として処理を終了する。
【００１３】
【発明が解決しようとする課題】
前述したように、ディジタル放送における従来の選局方法では、プログラムを切り換える度に選局情報を全て再取得すること、すなわち、選局を行う度にＮＩＴ、ＰＡＴ、ＰＭＴ全てを新たに取得することが行われている。したがって、これらＮＩＴ、ＰＡＴ、ＰＭＴ全てを新たに取得することにより、現在の放送状況に適合した選局ができる反面、選局（トランスポンダの切り換え）に長時間を要している。
【００１４】
特に、放送全体に関する選局情報であるＮＩＴはデータ量が多いため、選局情報の取得とプログラムの検索の双方において時間を要し、選局速度の低下の大きな要因となっている。
【００１５】
そこで、本発明は前述の実情に鑑みて提案されてものであり、チャンネルの切り換え、特に選局情報の取得とプログラム検索の双方の時間を短縮でき、選局を短時間に行うことができるプログラムの選局方法および受信装置を提供することを目的とする。
【００１７】
また、本発明に係るプログラムの選局方法は、複数のチャンネルによって伝送される伝送データからプログラムを選局するプログラムの選局方法であって、受信した伝送データから前記プログラムに関する情報を示す番組情報と、該番組情報に対応するプログラムが伝送される前記チャンネルに関する情報を示す選局情報とが結合されたデータベースが、前記伝送データの送信側において作成されて、該データベース用のチャンネルにより受信側に伝送され、前記プログラムを指定し、前記送信側において作成されたデータベースを用いて、前記指定されたプログラムに対応する前記チャンネルに関する情報を取得し、前記取得したチャンネルに関する情報に基づいて、前記指定されたプログラムに対応する伝送データを受信することを特徴とする。
【００１９】
また、本発明に係る受信装置は、複数のチャンネルによってプログラムが伝送される伝送データを受信する受信装置であって、前記伝送データの送信側で作成される、前記プログラムに関する情報を示す番組情報と、該番組情報に対応するプログラムが伝送される前記チャンネルに関する情報を示す選局情報とが結合されたデータベースを含んだ伝送データから少なくとも前記プログラムと該データベースとを取得する取得手段と、前記取得手段により取得したプログラムを処理する処理手段と、前記データベースを保持する保持手段と、前記保持手段により保持されたデータベースに基づいて、指定されたプログラムに対応する前記チャンネルに関する情報を取得し、該取得したチャンネルに関する情報に基づいて、該指定されたプログラムに対応する伝送データを受信するように前記取得手段および処理手段の制御を行う制御手段とを有し、前記伝送データの送信側で作成される前記データベースは、該データベース用のチャンネルにより伝送されることを特徴とする。
【００２２】
【発明の実施の形態】
以下、本発明を適用した具体的な実施の形態について、図面を参照しながら詳細に説明する。
【００２３】
〔１〕本発明が適用されるディジタル放送受信装置
図１は本発明が適用されるディジタル放送受信装置の概略構成を示すブロック図である。本実施の形態では、ディジタル放送の一例として、いわゆるＭＰＥＧ２システムを用いた衛星ディジタル放送を例にあげる。
【００２４】
この図において点線で囲まれている部分は衛星ディジタル放送受信装置である。この図に示すように、衛星ディジタル放送受信装置は、受信用アンテナ１の出力が入力されるフロントエンド２と、フロントエンド２の出力が入力されるデマルチプレクサ３と、デマルチプレクサ３の出力が入力されるＭＰＥＧ２ビデオデコーダ４、ＭＰＥＧ２オーディオデコーダ８、およびデータ処理部１０とを備えている。また、この衛星ディジタル放送受信装置の全体の制御等を行うＣＰＵ６を備えている。このＣＰＵ６にはメモリ７が接続されている。
【００２５】
この図１において、受信アンテナ１にて受信されたトランスポートストリーム（以下、ＴＳという）は、フロントエンド２において受信トランスポンダの選択、復調、エラー訂正等の処理を施された後にデマルチプレクサ３に入力される。前記ＴＳは多重化されて送られてきたストリームであり、このストリームはデマルチプレクサ３において、ＰＳＩ、ＭＰＥＧ２ビデオＥＳ、ＭＰＥＧ２オーディオＥＳ、およびＰＳに分割される。
【００２６】
デマルチプレクサ３での分割により得られたＰＳＩはＣＰＵ６に送られ、ＭＰＥＧ２ビデオＥＳはＭＰＥＧ２ビデオデコーダ４へ、ＭＰＥＧ２オーディオＥＳはＭＰＥＧ２オーディオデコーダ８へ、ＰＳはデータ処理部１０へそれぞれ送られる。
【００２７】
前記ＭＰＥＧ２ビデオデコーダ４、ＭＰＥＧ２オーディオデコーダ８、データ処理部１０では、それぞれ供給されたＭＰＥＧ２ビデオＥＳ、ＭＰＥＧ２オーディオＥＳ、ＰＳを各々適切に処理し、これらＭＰＥＧ２ビデオデコーダ４、ＭＰＥＧ２オーディオデコーダ８、データ処理部１０での処理にて得られた信号が、それぞれビデオ出力インターフェース５、オーディオ出力インターフェース９、でータ出力インターフェース１１から外部へ出力される。
【００２８】
ＣＰＵ６は、メモリ７を利用しながら前記ＭＰＥＧ２ビデオデコーダ４、ＭＰＥＧ２オーディオデコーダ８、およびデータ処理部１０の動作を制御する。また、ＣＰＵ６は、前記ＰＳＩに基づいて選局動作を行う。すなわち、ＣＰＵ６は、ＰＳＩ中のＰＭＴにより得られたＥＳあるいはＰＳのＰＩＤを、デマルチプレクサ３に設定し、ＥＳあるいはＰＳをＭＰＥＧ２ビデオデコーダ４、ＭＰＥＧ２オーディオデコーダ８、データ処理部１０の各処理装置へ割り当てることにより選局を行う。
【００２９】
〔２〕本発明の第１の実施の形態
本発明の第１の実施の形態では、過去に取得済みの選局情報を用いることで高速な選局を実現している。すなわち、ＣＰＵ６は、過去に取得済みの選局情報として過去のＰＳＩをメモリ７に保存しておき、このメモリ７に保存しておいた過去のＰＳＩを用いることで高速な選局を実現する。
【００３０】
より詳細に説明すると、実際の運用上、ＮＩＴの更新は通常１日１回であるから、選局の度に必ずＮＩＴを取得し直す必要はない。また、ＮＩＴはデータ量が多いため、取得とその後の検索に要する時間がＰＡＴ、ＰＭＴより長い。これらのことを考慮に入れると、取得済みのＮＩＴを再利用することが好ましく、このように取得済みのＮＩＴの再利用により、選局の速度が向上することが期待できる。このとき、新たに選局を行うＳＩＤが同一トランスポンダに属すれば、ＮＩＴの検索は不要である。したがって、現在のトランスポンダでＰＡＴを取得し、その中にそのＳＩＤが存在しない場合にのみ、ＮＩＴを再利用あるいは再取得するように構成すれば、選局の速度を向上させることが可能となる。
【００３１】
また、ＰＡＴ、ＰＭＴは更新が頻繁に行われ、テーブル自身も小さいので、必ず取得するという手法もあるが、例えば、取得後の経過時間が非常に短いような場合には、ＰＡＴ、ＰＭＴについても取得済みのテーブルを再利用することにすれば、選局の速度を向上させることができる。
【００３２】
なお、前述した各手法は、階層化された選局情報に関して、どの階層の選局情報を再利用するかということが異なる。
【００３３】
一方で、選局に失敗した場合は、新規にテーブルを取得し直し、そこに記述されている選局情報からプログラムの取得について必要な部分を取得し、また新たに他の階層の選局情報が必要である場合は、その選局情報を更に新規に取得するという手続きを繰り返すことにより、確実に選局を行うことができる。
【００３４】
前述したような本実施の形態のディジタル放送受信装置のＣＰＵ６における選局動作のフローチャートを図２に示す。
【００３５】
この図２において、ステップＳ１ではＳＩＤの決定が行われ、ステップＳ２でステップＳ１にて決定したＳＩＤが既に取得済みの一つ前のＳＩＤと同じか否かの判定を行う。このステップＳ２の判定において、同じであると判定した場合にはステップＳ３以降の処理に進み、同じでないと判定した場合にはステップＳ６以降の処理に進む。
【００３６】
ステップＳ３では、１つ前と同じトランスポンダＩＤとＰＩＤを用いて選局を行う。すなわち、トランスポンダの選択は、フロントエンド２において受信周波数を選択すべきトランスポンダの周波数にロックさせることで行うが、この周波数を１つ前と同じにする。そして、そのトランスポンダ内で１つ前に使用したＰＩＤを用いてビデオＥＳ、オーディオＥＳ、およびＰＳを分離し、それらをＭＰＥＧ２ビデオデコーダ４、ＭＰＥＧ２オーディオデコーダ８、データ処理部１０の各処理装置へ割り当てることにより選局を行う。
【００３７】
ステップＳ４では選局が成功したか否かの判定を行う。このステップＳ４にて成功したと判定した場合には、ステップＳ５にて選局を完了する。一方、ステップＳ４にて成功しなかったと判定した場合には、ステップＳ９に進む。
【００３８】
ステップＳ９では、１つ前と同じトランスポンダ内でＰＡＴを新規に取得し、次のステップＳ１０ではＳＩＤが放送中であるか否かを判定する。そして、放送中でないと判定した場合にはステップＳ１５に進み、選局失敗であるとして処理を終了する。一方、ステップＳ１０の判定において、ＳＩＤが放送中であると判定したときには、ステップＳ１１以降の処理に進む。
【００３９】
ステップＳ１１では、ＰＭＴを新規に取得し、次のステップＳ１２では、ＥＳまたはＰＳをデマルチプレクサ３にて分離させ、それらをＭＰＥＧ２ビデオデコーダ４、ＭＰＥＧ２オーディオデコーダ８、データ処理部１０の各処理装置へ割り当てることにより選局を行う。その後はステップＳ５にて選局を完了する。
【００４０】
ステップＳ２での判定において、同じでないと判定した場合に進むステップＳ６では、過去のＮＩＴを再利用し、次のステップＳ７では、ＳＩＤが存在するか否かの判定を行う。このステップＳ７にてＳＩＤが存在すると判定した場合には、ステップＳ８にてトランスポンダの切り換え、すなわち受信トランスポンダをＳＩＤに対応するトランスポンダに変更した後、ステップＳ９以降の処理に進む。
【００４１】
一方で、ステップＳ７にてＳＩＤが存在しないと判定した場合には、ステップＳ１３に進む。このステップＳ１３では、ＮＩＴを新規に取得し、次のステップＳ１４ではＳＩＤが存在するか否かを判定する。このステップＳ１４にてＳＩＤが存在すると判定した場合には、ステップＳ８以降の処理に進み、ＳＩＤが存在しないと判定した場合には、ステップＳ１５にて選局失敗であるとして処理を終了する。
【００４２】
前述したように、本実施の形態のディジタル放送受信装置によれば、例えばＭＰＥＧ２システムに基づくディジタル放送（例えば衛星ディジタル放送等）において、過去の取得済みの選局情報を用いることにより、ディジタル放送の選局を迅速に行うことができ、選局の効率を上げることが可能である。
【００４３】
〔２〕本発明の第２の実施の形態
従来のディジタル放送受信装置およびその選局方法では、選局情報が記述されているテーブルと番組情報が記述されているテーブルとが完全に分離されていた。本実施の形態では、従来２つのテーブルに分離されていた情報を有機的に結合し、新たなデータベースを作成するものである。このデータベースはＣＰＵ６により作成され、メモリ７に保存される。
【００４４】
図３にデータベースの１例を示す。この図に示すように、このデータベースは、番組情報であるＥＩＴとＳＤＴとから作成した情報である、番組名、ＳＩＤ、ジャンル、放送開始時刻、および放送終了時刻と、選局情報であるＮＩＴとＰＡＴとＰＭＴとから作成した情報である事業者名、トランスポンダ周波数、ＰＭＴのＰＩＤ、およびＰＩＤとコンポーネントタグから構成されている。
【００４５】
図４は受信装置においてデータベースを作成する手順の概略を示す図である。この図に示すように、まずＮＩＴを取得する。次に、ＮＩＴに記述されているトランスポンダの周波数を参照して、トランスポンダ毎にＰＡＴ、ＰＭＴ、ＳＤＴ、およびＥＩＴを取得する。すなわち、ＣＰＵ６の制御により、フロントエンド２の受信周波数をまずトランスポンダ＃１の周波数にロックさせ、フロントエンド２の出力であるトランスポンダ＃１のＴＳをデマルチプレクサ３に送る。そして、ここでＴＳからＰＳＩを分離し、ＣＰＵ６に与える。この処理をトランスポンダ＃２，＃３についても行う。ＣＰＵ６は各トランスポンダのＴＳから分離された  ＰＳＩを用いて、図３に示したようなデータベースを作成する。
【００４６】
図５は前述したデータベースを備えたディジタル放送受信装置における選局方法を示すフローチャートである。
【００４７】
この図に示すように、まずステップＳ２１でＳＩＤの決定が行われると、次のステップＳ２２でデータベースを参照する。次のステップＳ２３では、データベースの中に、ステップＳ２１で決定されたＳＩＤが存在するか否かの判定を行う。
【００４８】
そして、ＳＩＤが存在すると判定したときには、そのＳＩＤに対応するデータベースの物理諸元をフロントエンド２およびデマルチプレクサ３に設定する。すなわち、例えばＳＩＤが”２５０”であった場合には、フロンドエンド２の受信周波数を１２．４４８ＧＨｚに設定し、デマルチプレクサ２で分離するＥＳのＰＩＤを”１２１０”等に設定する。
【００４９】
次のステップＳ２５では選局が成功したかどうかを判定する。そして、成功したと判定した場合には、ステップＳ２６において選局が完了する。
【００５０】
ステップＳ２３でＳＩＤがデータベース内に存在しないと判定した場合、およびステップＳ２５で選局が成功しなかった場合には、図８に示した従来の選局ルーチン（ステップＳ２７）へ移行する。
【００５１】
このように、本実施の形態では、視聴者から選局指令が入力される前に作成しておいたデータベースを利用することにより、選局時間を短縮することができる。ただし、ディジタル放送の送信側の装置の障害あるいはその他の理由により、選局情報等が変更される可能性がある。そこで、データベースを利用した選局に失敗した場合には、選局情報を取得しながら選局を行う従来の選局ルーチンへ移行するようにした。
以上説明した第２の実施の形態においては、送信側では従来と同じ選局情報および番組情報を送信し、受信装置がデータベースを作成するものとした。このデータベースを送信側で作成し、受信装置はそれを受信してメモリ７に保持して利用するだけでよいように構成することもできる。これには２つの形態があるので、以下順番に説明する。
１番目の形態は、図３に示したような、選局情報と番組情報とを有機的に結合したデータベースを送信側で作成し、ＮＩＴやＥＩＴと同様なテーブルとして送信する方法である。すなわち、このデータベース用にテーブルＩＤをリザーブし、サービス情報という枠で定期的に送信する。図６にそのサービス情報の１例を示す。
【００５２】
２番目の形態は、前述したようなデータベースを送信側で作成し、それをＥＰＧチャンネルのプログラムとして送信する。すなわち、ＥＰＧが記述されているファイルをプログラムとして送信する。
【００５３】
どちらの形態をとった場合にも、データベースは送信側で作成されるため、受信装置ではそのデータベースをそのまま利用することができる。
【００５４】
前述したように、本実施の形態のディジタル放送受信装置によれば、例えばＭＰＥＧ２システムに基づくディジタル放送において、選局情報と番組情報とを有機的に結合したデータベースを用いることにより、ディジタル放送の選局を迅速に行うことができ、選局の効率を上げることが可能である。
【００５５】
【発明の効果】
以上詳細に説明したように、本発明に係るプログラムの選局方法および受信装置によれば、受信した伝送データからプログラムに関する情報を示す番組情報と、この番組情報に対応するプログラムが伝送されるチャンネルに関する情報を示す選局情報とを取得して、この取得した情報を有機的に結合したデータベースを用いて選局を行うことにより、選局を短時間に行うことができる。
【００５６】
また、本発明に係るプログラムの選局方法および受信装置によれば、送信側で作成されるプログラムに関する情報を示す番組情報と、この番組情報に対応するプログラムが伝送されるチャンネルに関する情報を示す選局情報とを有機的に結合したデータベースがデータベース用のチャンネルにより伝送され、この送信側から伝送されてくるデータベースを用いて選局を行うことにより、選局を短時間に行うことができる。
【図面の簡単な説明】
【図１】本発明が適用されるディジタル放送受信装置の概略構成を示すブロック図である。
【図２】本発明の第１の実施の形態のディジタル放送受信装置における選局動作の流れを示すフローチャートである。
【図３】本発明の第２の実施の形態におけるデータベースの構成の１例を示す図である。
【図４】受信装置においてデータベースを作成する手順の概略を示す図である。
【図５】本発明の第２の実施の形態のディジタル放送受信装置における選局動作の流れを示すフローチャートである。
【図６】送信側で作成したデータベースをテーブルとして送信する場合のテーブルの構造を示す図である。
【図７】従来の衛星ディジタル放送における物理チャンネルとプログラム等の構造を示す図である。
【図８】従来のディジタル放送受信装置における選局動作の流れを示すフローチャートである。
【符号の説明】
１…受信用アンテナ、２…フロントエンド、３…デマルチプレクサ、４…ＭＰＥＧ２ビデオデコーダ、５…ビデオ出力用インターフェース、６…ＣＰＵ、７…メモリ、８…ＭＰＥＧ２オーディオデコーダ、９…オーディオ出力用インターフェース、１０…データ処理部、１１…データ出力用インターフェース。
【図１】
0004078717.tif 000002
【図２】
0004078717.tif 000003
【図３】
0004078717.tif 000004
【図４】
0004078717.tif 000005
【図５】
0004078717.tif 000006
【図６】
0004078717.tif 000007
【図７】
0004078717.tif 000008
【図８】
0004078717.tif 000009